(57)【要約】外面を有するケース又はボディを備える楽器が開示される。楽器は、外面の少なくとも一部に取り付けられる又は外面の少なくとも一部に埋め込まれるビデオディスプレイを備える。【選択図】図１
2014526064.tif 000002
【特許請求の範囲】
【請求項１】
外面を有するケース又はボディを備える楽器と、
前記外面の少なくとも一部に取り付けられるビデオディスプレイと、を備えるビデオディスプレイを有する楽器。
【請求項２】
前記楽器は、ピアノである請求項１に記載の楽器。
【請求項３】
前記楽器は、弦楽器である請求項１に記載の楽器。
【請求項４】
弦楽器は、エレクトリックギターであり、前記外面は、前面を含む請求項１に記載の楽器。
【請求項５】
前記ビデオディスプレイは、前記エレクトリックギターの前記前面と同一の広がりを有する請求項４に記載の楽器。
【請求項６】
前記ビデオディスプレイは、発光ダイオードディスプレイ又は液晶ディスプレイである請求項１に記載の楽器。
【請求項７】
前記ボディに動作可能に取り付けられる非磁性ピックアップをさらに備える請求項４に記載の楽器。
【請求項８】
前記非磁性ピックアップは、光ピックアップ又は圧電ピックアップである請求項７に記載の楽器。
【請求項９】
外面を有するケース又はボディを備える楽器と、
前記ボディの前記外面の少なくとも一部に埋め込まれる複数のビデオディスプレイ素子と、を備えるビデオディスプレイを有する楽器。
【請求項１０】
前記楽器は、ピアノである請求項９に記載の楽器。
【請求項１１】
前記楽器は、弦楽器である請求項９に記載の楽器。
【請求項１２】
前記弦楽器は、エレクトリックギターであり、前記外面は、前面を含む請求項９に記載の楽器。
【請求項１３】
前記ビデオディスプレイ素子は、前記エレクトリックギターの前面と同一の広がりを有する請求項１２に記載の楽器。前記ビデオディスプレイ素子は、発光ダイオードディスプレイ又は液晶ディスプレイである請求項９に記載の楽器。
【請求項１４】
メインボディに動作可能に取り付けられる非磁性ピックアップをさらに備える請求項１４に記載の楽器。
【請求項１５】
前記非磁性ピックアップは、光ピックアップ又は圧電ピックアップである請求項１５に記載の楽器。
【請求項１６】
外面を有するケース又はボディを備える楽器と、
前記外面の少なくとも一部に取り付けられるビデオディスプレイと、
前記ビデオディスプレイに動作可能に接続される外部画像プロセッサ素子と、を備えるビデオディスプレイを有する楽器システム。
【請求項１７】
前記楽器は、ピアノである請求項１６に記載の楽器システム。
【請求項１８】
前記楽器は、弦楽器である請求項１６に記載の楽器システム。
【請求項１９】
前記弦楽器は、エレクトリックギターであり、前記外面は、前面を含む請求項１８に記載の楽器システム。
【請求項２０】
前記ビデオディスプレイは、前記エレクトリックギターの前記前面と同一の広がりを有する請求項１９に記載の楽器システム。
【請求項２１】
前記ビデオディスプレイは、発光ダイオードディスプレイ又は液晶ディスプレイである請求項１６に記載の楽器システム。
【請求項２２】
前記外部画像プロセッサ素子は、受信された画像を処理する画像プロセッサである請求項１６に記載の楽器システム。
【請求項２３】
前記外部画像プロセッサ素子に結合される無線レシーバー素子をさらに備え、前記無線レシーバー素子は、画像を前記外部画像プロセッサ素子へ提供するための前記画像を受信するように構成される請求項１６に記載の楽器システム。
【請求項２４】
メインボディに動作可能に取り付けられる非磁性ピックアップをさらに備える請求項１９に記載の楽器システム。
【請求項２５】
前記非磁性ピックアップは、光ピックアップ又は圧電ピックアップである請求項２４に記載の楽器システム。
【請求項２６】
外面を有するケース又はボディを備える楽器と、
前記外面の少なくとも一部に埋め込まれる複数のビデオディスプレイ素子と、
前記ビデオディスプレイ素子に動作可能に接続される外部画像プロセッサ素子と、を備えるビデオディスプレイを有する楽器システム。
【請求項２７】
前記楽器は、ピアノである請求項２６に記載の楽器システム。
【請求項２８】
前記楽器は、弦楽器である請求項２６に記載の楽器システム。
【請求項２９】
前記弦楽器は、エレクトリックギターであり、前記外面は、前面を含む請求項２８に記載の楽器システム。
【請求項３０】
前記ビデオディスプレイ素子は、前記エレクトリックギターの前記前面と同一の広がりを有する請求項２９に記載の楽器システム。
【請求項３１】
前記ビデオディスプレイ素子は、発光ダイオードディスプレイ又は液晶ディスプレイである請求項１６に記載の楽器システム。
【請求項３２】
前記外部画像プロセッサ素子は、受信された画像を処理する画像プロセッサである請求項２６に記載の楽器システム。
【請求項３３】
前記外部画像プロセッサ素子に結合される無線レシーバー素子をさらに備え、前記無線レシーバー素子は、画像を前記外部画像プロセッサ素子へ提供するための前記画像を受信するように構成される請求項２６に記載の楽器システム。
【請求項３４】
前記ボディに動作可能に取り付けられる非磁性ピックアップをさらに備える請求項２９に記載の楽器システム。
【請求項３５】
前記非磁性ピックアップは、光ピックアップ又は圧電ピックアップである請求項２４に記載の楽器システム。
【発明の詳細な説明】
【技術分野】
【０００１】
関連出願の相互参照
本願は、２０１１年７月２９日に提出された米国特許仮出願第６１／５１３，５０３号の優先権を主張するものであり、その全体が参照により本明細書に援用される。
【背景技術】
【０００２】
本願は、楽器に関するものであり、特に、ビデオと共に、オーディオ素子を含む楽器に関するものである。
【発明の概要】
【発明が解決しようとする課題】
【０００３】
楽器演奏の視聴者は、オーディオ体験を伴うより多くの視覚的要素を期待するようになってきた。したがって、ギターのような弦楽器を含む楽器を変更することにより視聴者の体験を向上させることが望まれており、このような楽器は、演奏時に、楽器が演奏される間にビデオディスプレイを含む。より効果的には、ビデオディスプレイは、洗練された視聴者により期待されるエフェクトを生成する必要がある色及び解像度を提供しなければならない。よって、ビデオディスプレイは最先端のディスプレイを提供することがさらに望まれている。また、演奏者は、ビデオディスプレイが目立つべきではなく、ビデオディスプレイは、楽器の音に影響を与えるべきではない。したがって、ビデオディスプレイについては、ドラマーの演奏又は楽器の演奏のいずれにも干渉しないことがさらに望まれている。
【課題を解決するための手段】
【０００４】
ここで、本発明によれば、これらの要求及び関連する要求を満たす楽器が見出される。一つの態様では、楽器は、外面を有し、エレクトリックギターを含む、ピアノのようなケース又は弦楽器のようなボディを備える。
【０００５】
楽器は、外面の少なくとも一部に取り付けられるビデオディスプレイを有し、いくつかの態様では、楽器は、エレクトリックギターであり、ビデオディスプレイは、エレクトリックギターの前面と同一の広がりを有する。いくつかの態様では、ビデオディスプレイは、発光ダイオードディスプレイ又は液晶ディスプレイである。
【０００６】
別の態様では、楽器は、外面の少なくとも一部に埋め込まれた複数のビデオディスプレイ素子を備え、いくつかの態様では、ビデオディスプレイ素子は、エレクトリックギターの面と同一の広がりを有する。いくつかの態様では、ビデオディスプレイ素子は、発光ダイオードディスプレイ又は液晶ディスプレイである。また、いくつかの態様では、エレクトリックギターは、光ピックアップ又は圧電ピックアップのような、ボディに取り付けられて動作可能な非磁性ピックアップを備える。
【０００７】
また、いくつかの態様では、エレクトリックギターは、光ピックアップ又は圧電ピックアップのような、ボディに取り付けられて動作可能な非磁性ピックアップを備える。
【０００８】
別の実施形態では、楽器は、楽器システムの一部であり、外部画像プロセッサを更に備え、いくつかの態様では、受信された画像を処理する画像プロセッサは、ビデオディスプレイに動作可能に接続する。また、別の実施形態では、楽器は、楽器システムの一部であり、画像プロセッサ素子と結合される無線レシーバー素子をさらに備え、無線レシーバー素子は、画像を画像プロセッサ素子に提供するための画像を受信するように構成される。
【図面の簡単な説明】
【０００９】
本明細書で説明する開示の上記で規定される特徴が、詳細に、より特定の説明で、上記で簡潔に要約される手法が理解できるように態様を参照し、この態様のいくつかは、添付の図面で図示される。
【図１】図１は、例示的な楽器の前面図である。
【図２】図２は、第１の例示的な楽器システムを示すブロック図である。
【図３】図３は、第２の例示的な楽器システムを示すブロック図である。
【図４】図４は、第３の例示的な楽器システムを示すブロック図である。
【図５】図５は、図１の楽器で使用される例示的なピックアップの斜視図である。
【図６】図６は、図１の楽器におけるピックアップ及びオーディオプロセッサにより使用される回路配置の電気的な模式図である。
【００１０】
なお、添付の図面は、本開示のある特定の態様のみを図示するものであり、したがって、その範囲を制限するものとみなされるものではなく、明細書では、他の等しい効果的な態様も許容する。
【発明を実施するための形態】
【００１１】
本発明の特定の態様は、その原理及び動作を示す目的で考慮すべき詳細が以下に説明される。いくつかの例では、既存の構造及び構成要素は、このような概念をわかりにくくすることを防ぐために、ブロック図の形態で示される。
【００１２】
様々な変更がなされ、本発明の範囲が以下に説明される例示的な実施形態に限定されないことが当業者により理解されるであろう。例えば、エレクトリックギターについて具体的に言及されるが、本システム及び方法が、ピアノのような他の楽器及びバイオリン、ハープ、チェロ、バス等を含む振動を生成することが可能な他の種類の楽器と同等に有用性があることが理解されうる。
【００１３】
図１は、振動を生成可能な例示的なエレクトリックギター１００の前面図である。ギターは、前面１１３と、ネック１１４と、を有するボディ１１２を備える。ビデオディスプレイ１１６は、ボディの前面の少なくとも一部と同一の広がりを有しており、図１に示す態様では、ボディの前面全体と実質的に同一の広がりを有している。一つの態様では、楽器は、複数の弦１２０での振動を検出し、振動を、音に変換するための信号に変換する非磁性ピックアップ１１８を有する。
【００１４】
ギター１００の複数の弦１２０は、テイルピース１２２に固定される。弦は、ブリッジ１２４により停められる。好ましくは、振動減衰パッド又はパッド１２６は、テイルピースとブリッジとの間で、弦の一部の振動を制限するために用いられうる。ブリッジの後に、弦の振動部分は、楽器のネック１１４からナット１２８へ降り、その後、チューニングマシン１３０へ進む。
【００１５】
ビデオディスプレイ１１６は、任意の数の型で実装されることができ、これは、複数のディスプレイ素子として実装されることを含む。好適なディスプレイ素子は、発光ダイオード（ＬＥＤｓ）、液晶ディスプレイ（ＬＣＤｓ）等を含む。ビデオディスプレイにおける各ディスプレイ素子は、また、輝度を変化させるための様々な光周波数及び様々な光度での出力であってもよい。ビデオディスプレイのレイアウト及び構成は、より多く又はより少ないディスプレイ素子、低い又は高い密度及びディスプレイ素子の異なるパターンを提供するために変化してもよい。
【００１６】
図１に示されるように、ビデオディスプレイ１１６は、規則的な間隔のディスプレイ素子を備えることができる。他の態様では、ディスプレイ素子は、不規則な間隔又は特定の構成を提供するために離間される。さらに、いくつかの態様では、各ディスプレイ素子のサイズは、楽器のより多く又はより少ないディスプレイ面領域を提供するために変更されてもよい。
【００１７】
いくつかの態様では、ビデオディスプレイ１１６は、ギターの前面の少なくとも一部に適用される。他の態様では、ビデオディスプレイは、ギターの側面及び背面の少なくとも一部、又はそれらの組み合わせの少なくとも一部に適用される。
【００１８】
いくつかの態様では、ビデオディスプレイ１１６は、複数のＬＥＤを支持するプリント回路基板（ＰＣＢ）の形態のフレキシブルな基板を備えるフレキシブルＬＥＤディスプレイである。ＬＥＤは、例えば、従来型のＬＥＤ、有機ＬＥＤ（ＯＬＥＤｓ）又はポリマーＬＥＤ（ＰＬＥＤｓ）であってもよい。また、いくつかの態様では、ビデオディスプレイ１１６は、フレキシブル基板の第１の側に搭載されるフレキシブルハウジング、及びフレキシブル基板の第２の側に搭載されるフレキシブルカバーで形成される。フレキシブルカバーは、ＬＥＤにより放出される光が通過することができるアパーチャのアレイ又はマトリックスを備える。カバーは、周辺光を反射し、ディスプレイモジュールのコントラスト比を向上させる。ハウジング及びカバーは、熱可塑性ポリウレタン樹脂のようなプラスチック材料からなることができる。
【００１９】
いくつかの態様では、２又はそれ以上の内部接続されたビデオディスプレイを使用することが有利である。
【００２０】
いくつかの態様では、ビデオディスプレイ１１６は、ギター１００の前面１１３に取り付けられる。また、いくつかの態様では、ビデオディスプレイは、ギターに取り外し可能に取り付けられる。ビデオディスプレイは、任意の好適な手段を用いて取り付けられうる。例えば、いくつかの態様では、フレキシブルハウジングを有するビデオディスプレイは、接着材を用いてギターの前面に取り付けられる。
【００２１】
他の態様では、ビデオディスプレイ１１６は、ギターの前面の少なくとも一部に埋め込まれた複数のＬＥＤで形成される。
【００２２】
図１に示される態様では、ギター１００は、単一の非磁性ピックアップ１１８を備える。他の態様では、２又はそれ以上の非磁性ピックアップが用いられうる。図１に示される別の態様では、非磁性ピックアップは、ブリッジ１２０に隣接する弦に沿って配置される。しかし、他の態様では、一又はそれ以上の非磁性ピックアップは、弦の振動部分に沿う任意の位置に配置されることができる。好適な非磁性ピックアップは、光学及び圧電ピックアップの両方を含む。
【００２３】
楽器１００は、トーンを調節するトーンコントロールダイヤルノブ１４０と、ボリュームを調節するボリュームコントロールダイヤルノブ１５０と、を更に備える。図１に示される態様では、楽器は、本明細書に記載されるように、各種の入力及び出力コネクタにインターフェースで接続される複数のジャック１７１、１７２、１７３及び１７４を備える。例えば、図１に示される楽器は、ビデオディスプレイ１１６及びピックアップエレメント１２０に電源を供給するための電源入力を受け付けるジャック１７１及び１７２を備える。楽器は、ピックアップエレメントの出力のためのジャック１７３を備える。また、楽器は、ビデオディスプレイ１１６へ供給するためのデータを受け付ける入力ジャック１７４を備える。データ入力ジャックは、リボン（図示せず）を通じてビデオディスプレイに結合されると共に、これらは、画像プロセッサから、ＰＣＢの形態でのビデオディスプレイへのデータ信号をやりとりする（図２−４参照）。特定の構成のジャックが図示されているが、異なる数のジャックを備える異なる構成が、本明細書で教示する事項を実装するために用いられてもよい。例えば、楽器は、様々な入力及び出力とインターフェース接続する一つのコネクタのみを備えていてもよい。
【００２４】
図２は、例示的な楽器システム２００を示すブロック図である。例示的な楽器システムの一態様では、楽器２１０は、光ピックアップ１１８を備える。光ピックアップは、弦の動き及び振動を検出し、振動を、音に変換される信号に変換するフォトンエミッタ及びフォトディテクタからなるピックアップ回路２２０を有する。次に、ピックアップ回路は、信号を内部オーディオプロセッサ２３０へ提供する。オーディオプロセッサからの信号は、ピックアップオーディオ出力２３５を通じて外部システムへ提供される。図５に示すように、光学ピックアップは、ピックアップ回路への干渉を低減又は排除するハウジングを有する。
【００２５】
楽器システム２００は、ビデオ入力２６０を処理する外部ビデオプロセッサ２５０を備える。図１に示される態様では、ビデオ入力は、ビデオ入力ジャック１７３を介してリンクされる。別の態様では、ビデオプロセッサは、楽器と無線リンクされる。
【００２６】
ビデオ入力２６０は、本発明の様々な態様に応じて様々なソースから提供されることができる。一つの態様では、ビデオ入力は、コンピュータシステムからのビデオストリームを表す。別の態様では、ビデオ入力は、ローカルメモリカードを有するビデオ信号生成器により生成されたビデオストリームを表す。さらに別の態様では、ビデオ入力は、有線又は無線のネットワークからストリームされるビデオストリームを表す。さらに別の態様では、ビデオ入力は、無線信号を通じて送信されるビデオストリームを表す。
【００２７】
楽器システム２００は、ビデオディスプレイ１１６へ電力を供給するビデオディスプレイ電源２７０を更に備える。また、楽器システムは、ピックアップ回路２２０及びオーディオプロセッサ２３０へ電力を供給するために、光ピックアップ１１８へ電力を供給する光ピックアップ電源２８０を備える。
【００２８】
一つの態様では、電源及びビデオ入力ラインは、ＸＬＲコネクタのような電気コネクタを用いて実装される。楽器及びモジュールを接続するために用いられる接続ラインのタイプ（例えば、銅、ファイバ、同軸）は、様々な実施形態に応じて変更されうる。また、いくつかの態様では、ビデオプロセッサ２５０のための接続ライン、及びビデオディスプレイ電源２７０及び光ピックアップ電源２８０のための電源ラインは、楽器からの距離を延長するファーネスに組み込まれる。一つの態様では、接続ラインは、楽器から２５−３０フィート延びている。
【００２９】
図３は、第２の例示的な楽器システム３００を示すブロック図である。例示的なシステムの一実施形態では、楽器３１０は、光ピックアップ１１８を備える。光ピックアップは、弦の振動を検出するフォトンエミッタ及びフォトディテクタからなるピックアップ回路２２０を備える。次に、ピックアップ回路は、検出された弦の振動に基づいて、信号を外部オーディオプロセッサ３９０へ提供する。図５で最もよく示されるように、光ピックアップは、ピックアップ回路との干渉を低減又は排除するハウジングを有する。
【００３０】
楽器システム３００は、ビデオ入力２６０を処理する外部ビデオプロセッサ２５０を備える。ビデオ入力は、本明細書で前述したように（例えば、ビデオストリーム、メモリカード、無線信号）、本発明の様々な実施形態に係る様々なソースから提供されうる。
【００３１】
楽器システム３００は、電力をビデオディスプレイ１１６へ提供するビデオディスプレイ電源２７０を更に備える。また、このシステムは、ピックアップ回路２２０へ電力を供給するために、電力を光ピックアップ１１８へ提供する光学ピックアップ電源２８０を備える。第２の例示的な楽器システム３００は、光学ピックアップ１１８の出力を受信し、音出力のための信号を処理する外部オーディオプロセッサ３９０を備える。
【００３２】
図４は、第３の例示的な楽器システム４００を示すブロック図である。一つの態様では、楽器システムは、楽器４１０と、外部アクセサリモジュール４２０と、を備える。また、楽器システムの一態様では、楽器は、ピックアップ回路を有する光ピックアップ１１８を備える。
【００３３】
アクセサリモジュールは、ビデオプロセッサ７６０と、ビデオメモリ７７０と、ビデオディスプレイ及び光学ピックアップ供給バッテリ７８０と、光学ピックアップオーディオプロセッサ７９０と、を備える。ビデオプロセッサは、データを記憶するビデオメモリからのビデオ信号を受信するように構成される。
【００３４】
一つの態様では、アクセサリモジュール４２０は、ユーザによって身に付けられるベルトパックとして実装される。アクセサリモジュールと楽器４１０との接続は、有線又は無線であってもよい。無線接続については、楽器４１０は、楽器上又は楽器内のビデオディスプレイ及び光学ピックアップ供給バッテリ７８０を備えていてもよい。
【００３５】
図５は、光学ピックアップ１１８の斜視図である。光学ピックアップは、細長い、終端部が開口された、弦１２０が通過するハウジング５１０を備える。ハウジングは、終端部５１６（一つが示される）により結合され、離間される、下部ハウジング部５１２と、上部ハウジング部５１４と、を備える。上部ハウジング部は、フリクションフィットにより下部ハウジング部に保持され、それにより、ピックアップの他の部品へのアクセスを得る目的で移動可能である。下部ハウジング部から延長される部分は、細長く、フレキシブルな電気ケーブル（図示せず）であり、様々な電気部品がピックアッププロセッサへ接続されてもよい。
【００３６】
ハウジング５１０内部に搭載される絶縁デッキ（ｉｎｓｕｌａｔｅｄ  ｄｅｃｋ）は、フォトンエミッタ５２０及びフォトディテクタ５３０のペアが配置される。図５に示すように、一つの態様では、各ペアの１つの素子は、各弦の上に配置され、ペアの他の素子は、各弦の下に配置される。一実施形態では、フォトンエミッタは、下部ハウジング部５１２に配置される一方で、フォトディテクタは、上部ハウジング部５１４に配置される。別の実施形態では、フォトンエミッタは、上部ハウジング部に配置される一方で、フォトディテクタは、下部ハウジング部に配置される。別の態様では、フォトンエミッタ及びフォトディテクタは、同一のハウジング部分に配置され、ハウジングの反対側の部分に配置されるリフレクタを有する。
【００３７】
当業者は、フォトンエミッタが光源又は電磁放射源でありうることを理解するであろう。フォトンエミッタは、ＬＥＤ、ＯＬＥＤ、蛍光灯、レーザ、白熱電球等を含む任意の数の形態で実装されうる。当業者は、フォトディテクタが、フォトレジスタ、フォトダイオード、フォトトランジスタ。電荷結合素子（ＣＣＤ）、相補型金属酸化膜半導体（ＣＭＯＳ）センサ、逆バイアスＬＥＤ等を含む任意の数の形態で搭載されうることを理解するであろう。
【００３８】
フォトンエミッタ５２０は、従来の搭載アセンブリを通じて絶縁デッキに実装され、これは、フォトンエミッタの位置の角度及び横方向の調節の両方を可能にする。フォトンエミッタは、それらの各関連付けられた弦の手前側を照らす又は照射し、関連付けられた弦は、シャドーを投げ掛ける。このようなシャドーは、フォトディテクタ５３０のそれぞれのフォトン検出領域へ投げ掛けられる。
【００３９】
図６は、ピックアップ回路及びオーディオプロセッサをそれぞれ実装するために用いられる例示的なピックアップ回路６１０及びオーディオ処理回路６２０の電気回路の模式図を示す。例示的なピックアップ回路は、レジスタ、キャパシタ、ダイオード、及び光学ピックアップを実行するように図示される配置における電源素子を備える。サブ回路コンポーネントは、並列なレジスタ６２２及びフォトダイオード６２４を含み、遠位端で接地される並列な素子を備える。フォトディテクタ６２６もまた、キャパシタ６２８に続いて並列であり、遠位端で接地される。フォトディテクタは、オーディオ処理回路に並列に接続される。特定の回路素子の構成が図示されているが、光学ピックアップを実現するために、回路素子の異なる数及び配置を有する異なる構成であってもよい。
【００４０】
楽器のいくつかの態様は、ビデオディスプレイを有するギターを基準として示された。当業者が明示的に理解するように、本開示を通じて説明された様々な態様は、他の楽器及び装置に拡張されてもよい。様々な態様が、例えば、バイオリン、ハープ、チェロ、バスのような他の楽器と共に、ピアノのような他の楽器に拡張されてもよい。
【００４１】
前述した説明は、当業者が、本明細書に記載の様々な態様を実施することができるように提供される。これらの態様に対する様々な変更が当業者にとって明らかであり、本明細書に定義される一般原理は、他の態様に適用されてもよい。よって、特許請求の範囲は、本明細書に示された態様に限定されることは意図されず、特許請求の範囲の文言と一致する全ての範囲と認められ、ここで、単数形の要素は、特に言及しない限り“１つかつ１つのみ”を意味するものではなく、“１つ又はそれ以上”を意味するものである。特に言及しない限り、用語“いくつか”は、一又はそれ以上を示すアイテムのリストの“少なくとも１つ”を示す表現は、単一の要素を含むそれらのアイテムの任意の組み合わせを示す。一例として、“ａ、ｂ又はｃの少なくとも１つ”は、ａ、ｂ、ｃ、ａ及びｂ、ａ及びｃ、ｂ及びｃ、ａ、ｂ及びｃを含むことが意図される。当業者にとって既知又は後になって既知となる本開示を通じて説明される様々な態様の要素と構造的及び機能的に均等なものは、参照により本明細書に明示的に援用され、特許請求の範囲によって包含される。また、本開示が特許請求の範囲に明確に規定されるかどうかに関わらず、本明細書に開示されるものは、公衆に捧げられるものではない。
【図１】
2014526064.tif 000003
【図２】
2014526064.tif 000004
【図３】
2014526064.tif 000005
【図４】
2014526064.tif 000006
【図５】
2014526064.tif 000007
【図６】
2014526064.tif 000008
【図７】
2014526064.tif 000009
【手続補正書】
【提出日】平成25年5月29日(2013.5.29)
【手続補正１】
【補正対象書類名】特許請求の範囲
【補正対象項目名】全文
【補正方法】変更
【補正の内容】
【特許請求の範囲】
【請求項１】
外面を有するケース又はボディを備える楽器と、
前記外面の少なくとも一部に取り付けられるビデオディスプレイと、を備えるビデオディスプレイを有する楽器。
【請求項２】
前記楽器は、ピアノである請求項１に記載の楽器。
【請求項３】
前記楽器は、弦楽器である請求項１に記載の楽器。
【請求項４】
弦楽器は、エレクトリックギターであり、前記外面は、前面を含む請求項１に記載の楽器。
【請求項５】
前記ビデオディスプレイは、前記エレクトリックギターの前記前面と同一の広がりを有する請求項４に記載の楽器。
【請求項６】
前記ビデオディスプレイは、発光ダイオードディスプレイ又は液晶ディスプレイである請求項１に記載の楽器。
【請求項７】
前記ボディに動作可能に取り付けられる非磁性ピックアップをさらに備える請求項４に記載の楽器。
【請求項８】
前記非磁性ピックアップは、光ピックアップ又は圧電ピックアップである請求項７に記載の楽器。
【請求項９】
外面を有するケース又はボディを備える楽器と、
前記ボディの前記外面の少なくとも一部に亘って広がる複数のビデオディスプレイ素子と、を備えるビデオディスプレイを有する楽器。
【請求項１０】
前記楽器は、ピアノである請求項９に記載の楽器。
【請求項１１】
前記楽器は、弦楽器である請求項９に記載の楽器。
【請求項１２】
前記弦楽器は、エレクトリックギターであり、前記外面は、前面を含む請求項９に記載の楽器。
【請求項１３】
前記ビデオディスプレイ素子は、前記エレクトリックギターの前面と同一の広がりを有する請求項１２に記載の楽器。
【請求項１４】
前記ビデオディスプレイ素子は、発光ダイオードディスプレイ又は液晶ディスプレイである請求項９に記載の楽器。
【請求項１５】
メインボディに動作可能に取り付けられる非磁性ピックアップをさらに備える請求項１１に記載の楽器。
【請求項１６】
前記非磁性ピックアップは、光ピックアップ又は圧電ピックアップである請求項１５に記載の楽器。
【請求項１７】
外面を有するケース又はボディを備える楽器と、
前記外面の少なくとも一部に取り付けられるビデオディスプレイと、
前記ビデオディスプレイに動作可能に接続される外部画像プロセッサ素子と、を備えるビデオディスプレイを有する楽器システム。
【請求項１８】
前記楽器は、ピアノである請求項１７に記載の楽器システム。
【請求項１９】
前記楽器は、弦楽器である請求項１７に記載の楽器システム。
【請求項２０】
前記弦楽器は、エレクトリックギターであり、前記外面は、前面を含む請求項１９に記載の楽器システム。
【請求項２１】
前記ビデオディスプレイは、前記エレクトリックギターの前記前面と同一の広がりを有する請求項１７に記載の楽器システム。
【請求項２２】
前記ビデオディスプレイは、発光ダイオードディスプレイ又は液晶ディスプレイである請求項１７に記載の楽器システム。
【請求項２３】
前記外部画像プロセッサ素子は、受信された画像を処理する画像プロセッサである請求項１７に記載の楽器システム。
【請求項２４】
前記外部画像プロセッサ素子に結合される無線レシーバー素子をさらに備え、前記無線レシーバー素子は、画像を前記外部画像プロセッサ素子へ提供するための前記画像を受信するように構成される請求項１７に記載の楽器システム。
【請求項２５】
メインボディに動作可能に取り付けられる非磁性ピックアップをさらに備える請求項１９に記載の楽器システム。
【請求項２６】
前記非磁性ピックアップは、光ピックアップ又は圧電ピックアップである請求項２５に記載の楽器システム。
【請求項２７】
外面を有するケース又はボディを備える楽器と、
前記外面の少なくとも一部に亘って広がる複数のビデオディスプレイ素子と、
前記ビデオディスプレイ素子に動作可能に接続される外部画像プロセッサ素子と、を備えるビデオディスプレイを有する楽器システム。
【請求項２８】
前記楽器は、ピアノである請求項２７に記載の楽器システム。
【請求項２９】
前記楽器は、弦楽器である請求項２７に記載の楽器システム。
【請求項３０】
前記弦楽器は、エレクトリックギターであり、前記外面は、前面を含む請求項２９に記載の楽器システム。
【請求項３１】
前記ビデオディスプレイ素子は、前記エレクトリックギターの前記前面と同一の広がりを有する請求項３０に記載の楽器システム。
【請求項３２】
前記ビデオディスプレイ素子は、発光ダイオードディスプレイ又は液晶ディスプレイである請求項２７に記載の楽器システム。
【請求項３３】
前記外部画像プロセッサ素子は、受信された画像を処理する画像プロセッサである請求項２７に記載の楽器システム。
【請求項３４】
前記外部画像プロセッサ素子に結合される無線レシーバー素子をさらに備え、前記無線レシーバー素子は、画像を前記外部画像プロセッサ素子へ提供するための前記画像を受信するように構成される請求項２７に記載の楽器システム。
【請求項３５】
前記ボディに動作可能に取り付けられる非磁性ピックアップをさらに備える請求項２９に記載の楽器システム。
【請求項３６】
前記非磁性ピックアップは、光ピックアップ又は圧電ピックアップである請求項３５に記載の楽器システム。
【手続補正２】
【補正対象書類名】図面
【補正対象項目名】全図
【補正方法】変更
【補正の内容】
【図１】
2014526064.tif 000010
【図２】
2014526064.tif 000011
【図３】
2014526064.tif 000012
【図４】
2014526064.tif 000013
【図５】
2014526064.tif 000014
【図６】
2014526064.tif 000015
【国際調査報告】
2014526064.tif 000016